【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
装着者が実際に装着する眼鏡フレームに装着される眼鏡レンズの遠用アイポイントから近用アイポイントまでの距離である眼球下転量を測定する眼球下転量測定治具であって、
前記眼鏡フレームに装着された検査用眼鏡レンズ表面に形成され、前記遠用アイポイントを通過して水平方向に延びる基準線が設けられたマスクを備えたことを特徴とする眼球下転量測定治具。
【請求項２】
請求項１に記載の眼球下転量測定治具において、
前記マスクは、前記装着者に予測される眼球下転量と同じ幅と、互いに対向する２辺とを有し、
前記基準線は、前記マスクの対向する２辺のうちいずれか一方であることを特徴とする眼球下転量測定治具。
【請求項３】
請求項１に記載の眼球下転量測定治具において、
前記マスクは、互いに対向する２辺を有し、
前記基準線は、前記対向する２辺から離れた位置に設けられたことを特徴とする眼球下転量測定治具。
【請求項４】
請求項２に記載の眼球下転量測定治具において、
前記マスクは、前記対向する２辺のうちいずれか他方が、前記近用アイポイント側に向けられて配置され、
テープ基材と、このテープ基材の検査用眼鏡レンズ側に設けられ前記検査用眼鏡レンズに着脱自在に貼り付ける粘着部と、を有するテープ状マスクであることを特徴とする眼球下転量測定治具。
【請求項５】
請求項２または請求項３に記載の眼球下転量測定治具において、
前記マスクは、前記検査用眼鏡レンズの表面の前記近用アイポイントがあると予測される領域に前記基準線と平行に形成される複数の線を有し、
テープ基材と、このテープ基材の検査用眼鏡レンズ側に設けられ前記検査用眼鏡レンズに着脱自在に貼り付ける粘着部と、を有するテープ状マスクであることを特徴とする眼球下転量測定治具。
【請求項６】
請求項４に記載の眼球下転量測定治具を検査用眼鏡レンズに貼り付ける治具貼付装置であって、
前記検査用眼鏡レンズが眼鏡フレームに取り付けられた眼鏡を保持する眼鏡保持部材と、
この眼鏡保持部材で保持された眼鏡に前記テープ状マスクを供給するテープ供給部材と、を備え、
前記眼鏡保持部材は、
前記検査用眼鏡レンズに対向するベースと、
このベースに検査用眼鏡レンズのアイポイントを通過して水平方向に延びて形成される水平注視野に直交する方向に移動自在に取り付けられた前記眼鏡フレームを支持するフレーム支持部材と、を有し、
前記テープ供給部材は、
前記テープ状マスクをカットするカッター部材と、
このカッター部材でカットされたテープ状マスクを前記眼鏡保持部材で保持された眼鏡まで搬送し、前記テープ状マスクをその一方の辺が前記水平注視野に沿うように貼り付けるレンズ貼付部材と、を有する
ことを特徴とする治具貼付装置。
【請求項７】
請求項５に記載の眼球下転量測定治具を検査用眼鏡レンズに貼り付ける治具貼付装置であって、
一対の前記テープ状マスクを備えた測定テープおよび前記眼鏡を保持する眼鏡保持台を備え、
前記眼鏡保持台の上面には、
前記検査用眼鏡レンズに対応する位置に設けられた低反発性素材からなるレンズ載置部と、
前記検査用眼鏡レンズの水平方向と直交する方向に移動自在に取り付けられ、前記眼鏡のフレームを支持するフレーム支持部材と、を有することを特徴とする治具貼付装置。
【請求項８】
装着者が実際に装着する眼鏡フレームに装着される眼鏡レンズの遠用アイポイントから近用アイポイントまでの距離である眼球下転量を測定する方法であって、
前記眼鏡フレームに装着された検査用眼鏡レンズ表面に対して前記装着者に予測される眼球下転量と同じ幅を有するテープ状マスクを用い、このテープ状マスクの互いに対向する２辺のうちいずれか一方の辺を前記検査用眼鏡レンズにおける遠用アイポイントを通過するように位置決めし、いずれか他方の辺を前記検査用眼鏡レンズにおける近用アイポイント側に向けて前記検査用眼鏡レンズに貼り付けるマスク貼付工程と、
このテープ状マスクが貼り付けられた検査用眼鏡レンズが眼鏡フレームに設けられた眼鏡を前記装着者が装着して近用アイポイントが前記テープ状マスクの他方の辺と一致しているか否かを判断する判断工程と、を備え、
この判断工程で近用アイポイントが前記テープ状マスクの他方の辺と一致していないと判断した場合には前記テープ状マスクを検査用眼鏡レンズから剥がし、幅寸法の異なるテープ状マスクを貼り付けて再度判断工程を実施することを特徴とする眼球下転量測定方法。
【手続補正２】
【補正対象書類名】明細書
【補正対象項目名】００４３
【補正方法】変更
【補正の内容】
【００４３】
（１．眼鏡レンズ）
図１に示すように、眼鏡レンズ１０となる累進屈折力レンズは、上方に位置する遠用部領域１１と、下方に位置する近用部領域１５と、これら遠用部領域１１と近用部領域１５との間に位置する累進帯１３と、累進帯１３の側方に隣接した側方領域１４と、を有している。
【手続補正３】
【補正対象書類名】明細書
【補正対象項目名】００４５
【補正方法】変更
【補正の内容】
【００４５】
近用部領域１５は、近方視（例えば、読書）するのに適した相対的にプラス度数の高い平均度数を備えている。特に、装着者が近方視（下方視）した場合の視線が通過する位置を近用アイポイントＮＰとし、近用アイポイントＮＰを通過して左右方向に延びる線分であって、近用部領域１５における線分を近用アイポイントラインＮＬとする。
本実施形態では、眼球下転量として、遠用アイポイントラインＦＬと近用アイポイントラインＮＬ間の上下方向の距離（長さ）Ｌを測定するものである。
【手続補正４】
【補正対象書類名】明細書
【補正対象項目名】００４６
【補正方法】変更
【補正の内容】
【００４６】
累進帯１３は、遠用部領域１１と近用部領域１５との間で相対的なプラス加入度数が累進的に変化する領域である。
側方領域１４は、非点収差領域と呼ばれるエリアである。側方領域１４を通して見ると物が二重に見えたりするため、通常、装着者は側方領域１４を通して物を見ない。
【手続補正５】
【補正対象書類名】明細書
【補正対象項目名】００８４
【補正方法】変更
【補正の内容】
【００８４】
第１の接着層７２０に使用される接着剤としては、アクリル樹脂系、ゴム系、ウレタン樹脂系、シリコン樹脂系、ビニルエーテル系、およびエポキシ系樹脂系からなる群より選択される少なくとも一種の材料を含む層であることが好ましい。第１の接着層７２０の厚さは１μｍ以上２００μｍ以下であることが好ましい。
第２の接着層７３０に使用される接着剤としては、アクリル樹脂系、ゴム系、ウレタン樹脂系、シリコン樹脂系、ビニルエーテル系、およびエポキシ系樹脂系からなる群より選択される少なくとも一種の材料を含む層であることが好ましい。第２の接着層７３０の厚さは１μｍ以上２００μｍ以下であることが好ましい。
【手続補正６】
【補正対象書類名】明細書
【補正対象項目名】０１０４
【補正方法】変更
【補正の内容】
【０１０４】
また、上記第１実施形態では、ベース５１の載置面５１１を平面状に形成したが、眼鏡フレーム２０（眼鏡１００）をより安定して支持するために、ブリッジ２２に係合する凸状部が載置面５１１上に設けられていてもよい。この場合、眼鏡フレーム２０は、載置面５１１および凸状部に沿って移動自在となる。これによれば、眼鏡１００の左右方向への移動を防止することができ、眼鏡１００の位置をより安定させることができるため、テープ状マスク３の検査用眼鏡レンズ１２への貼り付けをより精度高く行うことができる。
【手続補正７】
【補正対象書類名】図面
【補正対象項目名】図１
【補正方法】変更
【補正の内容】
【図１】
2011048321.tif 000001